(57)【特許請求の範囲】
【請求項１】
底壁部を含む固定部と、側壁部及び上壁部の少なくとも一部を含む可動部とから展示室を構成し、前記可動部が前記固定部に対して上方へ回動して前記展示室を開放する開放位置に変位できる展示装置であって、
前記固定部は上下方向に延びた前記展示室の内壁面を有し、
前記可動部は前記開放位置において前記上壁部が前記内壁面と略同一平面上に位置するとともに、前記可動部が前記開放位置において前記上壁部の下端部と前記内壁面の上端部との間に隙間が形成され、前記隙間は前記上壁部の内面及び前記内壁面に装着される板状部材で閉塞され、前記上壁部の内面と前記内壁面は、互いに連続して一つの壁面を形成することを特徴とする展示装置。
【請求項２】
前記固定部は、前記底壁部の端部から上方へ向けて立設された端壁部を有し、前記可動部が前記開放位置にあるとき、前記端壁部と前記可動部との間に介装されて同可動部を同開放位置に保持する後付けパネルを備えたことを特徴とする請求項１記載の展示装置。
【請求項３】
前記後付けパネルは、前記端壁部に着脱可能に取り付けられることを特徴とする請求項２記載の展示装置。
【請求項４】
前記後付けパネルは、その下端部を前記端壁部に対し、その上端部を前記可動部に対し、それぞれ係合されることを特徴とする請求項３記載の展示装置。
【請求項５】
前記可動部は、前記内壁面の上方にて前記固定部に回動可能に支持され、前記内壁面の上部には、前記可動部が前記開放位置にあるときに同可動部の上壁部上面から滴下する雨水を受け入れると共に前記端壁部に開口する排水樋が設けられていることを特徴とする請求項１記載の展示装置。
【請求項６】
前記可動部は、前記端縁部と前記上壁部の端縁部に連結された端壁部を有し、同可動部の端壁部は、前記固定部の端壁部における前記排水樋の開口を覆うことができるようにしたことを特徴とする請求項５記載の展示装置。
【発明の詳細な説明】
【０００１】
【発明の属する技術分野】
この発明は、例えば、トラック等の荷台に搭載、もしくは架装して人が集まる場所に移動し、商品を展示して販売・宣伝する展示装置に関する。
【０００２】
【従来の技術】
商品の展示・販売は店頭やショールームに陳列したり、イベント会場等に展示して販売したり、宣伝するのが一般的であるが、トラック等の荷台に商品を搭載して人が集まる場所に移動し、商品を展示して販売促進を図る移動展示車も知られている。
【０００３】
例えば、実公平４−１１８７５号公報に開示されているガルウイングドア付きトラックの荷物積載装置は、トラックの荷台に商品を展示する展示棚を設けるとともに、展示棚を含む荷台の全体をガルウイングドアによって覆い、目的地でガルウイングドアを開放して商品の展示販売を行うようにしたものである。
【０００４】
また、特公平５−２１７７２号公報に開示されたいる物品展示用車両は、荷台に展示用支持壁及び物品を収納した多数の収納ケースを搭載するとともに、一対のサイドドアとバックドアを跳ね上げ開放可能に設け、目的地でドアを開放して商品の展示販売を行うようにしたものである。
【０００５】
さらに、実用新案登録第３０５０２７３号公報に開示されている移動展示車は、トラックの荷台に跳ね上げ開放可能なドアを有したハウジングを搭載し、ハウジングの内部に商品展示棚を雛壇状に設けたものである。
【０００６】
【発明が解決しようとする課題】
前述した従来の展示車両は、トラックの荷台に商品を展示する展示棚を設けるとともに、展示棚を含む荷台全体を覆う覆い部材を設け、人が集まる場所に移動し、目的地で覆い部材を開放して商品を展示して販売促進を図るものである。
【０００７】
しかしながら、覆い部材としてのドアは、商品を雨水から保護するとともに、盗難等から守るために設けられているもので、目的地で開放したときには、ドア自体は商品を展示する機能を有するものではない。しかも、前述した実公平４−１１８７５号公報及び特公平５−２１７７２号公報のものは、ドアを開閉可能に支持するルーフ構造物の高さは一定であるため、特に背の高い商品を展示したり、高い位置に商品を展示しようとする場合にはルーフ構造物の高さを高く構成する必要があるが、車両としてはルーフ構造物の高さに制限がある。
【０００８】
また、実用新案登録第３０５０２７３号公報においても、同様に特に背の高い商品を展示したり、高い位置に商品を展示しようとする場合にはハウジングのルーフ高さを高く構成する必要があり、陳列する商品の種類に制限されるという問題がある。
【０００９】
例えば、一般住宅設備としてのユニットバスやキッチンユニット、洗面台付きトイレユニット等の商品を展示販売することを想定した場合、展示室の天井の高さは床面から２ｍに及ぶ。このような商品を展示するためにトラックの荷台に展示室を構成するボックスをそのまま搭載した場合には当然のことながらルーフ高さが高くなり、前述のような問題が生じる。また、ルーフ高さを低くするために全体を縮小したユニットの模型では、お客が実際の商品の感覚をつかむことができず、販売促進にはつながらない。
【００１０】
この発明は、前記事情に着目してなされたもので、その目的とするところは、例えば、一般住宅設備としてのユニットバスやキッチンユニット、洗面台付きトイレユニット等の背の高い商品を展示販売する場合に、目的地で覆い部材を開放位置にしたときには、天井部の高さを高くでき、覆い部材を閉塞位置にしたときには天井部の高さを低くすることができ、さらに、覆い部材が商品の一部を兼ね、覆い部材を開放することにより、商品を展示することができ、展示・宣伝効果の高い展示装置を提供することにある。
【００１１】
【課題を解決するための手段】
この発明は、前記目的を達成するために、請求項１は、底壁部を含む固定部と、側壁部及び上壁部の少なくとも一部を含む可動部とから展示室を構成する。前記可動部が前記固定部に対して上方へ回動して前記展示室を開放する開放位置に変位でき、前記固定部は上下方向に延びた前記展示室の内壁面を有する。そして、前記可動部を前記開放位置にして前記展示室を開放すると、前記上壁部が前記内壁面と略同一平面上に位置するとともに、前記可動部が前記開放位置において前記上壁部の下端部と前記内壁面の上端部との間に隙間が形成され、前記隙間は前記上壁部の内面及び前記内壁面に装着される板状部材で閉塞され、前記上壁部の内面と前記内壁面は、互いに連続して一つの壁面を形成することを特徴とする。
【００１２】
請求項２は、請求項１の前記固定部は、前記底壁部の端部から上方へ向けて立設された端壁部を有し、前記可動部が前記開放位置にあるとき、前記端壁部と前記可動部との間に介装されて同可動部を同開放位置に保持する後付けパネルを備えたことを特徴とする。
【００１３】
請求項３は、請求項２の前記後付けパネルは、前記端壁部に着脱可能に取り付けられることを特徴とする。
【００１４】
請求項４は、請求項３の前記後付けパネルは、その下端部を前記端壁部に対し、その上端部を前記可動部に対し、それぞれ係合されることを特徴とする。
【００１５】
請求項５は、請求項１の前記可動部は、前記内壁面の上方にて前記固定部に回動可能に支持され、前記内壁面の上部には、前記可動部が前記開放位置にあるときに同可動部の上壁部上面から滴下する雨水を受け入れると共に前記端壁部に開口する排水樋が設けられていることを特徴とする。
【００１６】
請求項６は、請求項５の前記可動部は、前記端縁部と前記上壁部の端縁部に連結された端壁部を有し、同可動部の端壁部は、前記固定部の端壁部における前記排水樋の開口を覆うことができるようにしたことを特徴とする。
【００１９】
請求項１によれば、可動部を上方へ回動するだけで、展示室を広く開放することができ、開放位置においては特に展示室の天井部の高さを高くできる。さらに、開放位置において固定部の壁面と可動部の壁面とが一つの壁面となり、一体感が得られる。請求項２によれば、開放位置において可動部が後付けパネルによって保持され、後付けパネルがストッパとして機能する。請求項３，４によれば、後付けパネルが固定部に対して着脱可能であり、取付け時には固定部と可動部に確実に固定できる。
【００２０】
請求項５によれば、可動部の開放位置において降雨があっても排水樋によって排水され、風雨が展示室に侵入するのを防止する。請求項６によれば、可動部は端壁部を有し、この端壁部によって排水樋の開口を覆うことができる。
【００２２】
【発明の実施の形態】
以下、この発明の各実施の形態を図面に基づいて説明する。
【００２３】
図１〜図８は展示装置の第１の実施形態を示し、図１は展示装置を車両の荷台に搭載した状態の斜視図、図２は可動ボックスを開放した状態の展示装置の側面図、図３は可動ボックスを開放した状態の展示装置の縦断側面図、図４は可動ボックスを開放した状態の斜視図、図５は可動ボックスを閉塞した状態の横断平面図、図６は可動ボックスを閉塞した状態の縦断側面図である。
【００２４】
図１〜図６に示すように、軽トラック等の車両の荷台１には展示装置２が搭載されている。従って、車両を走行させ、展示装置２をスーパーマーケット、イベント会場、公園等の人が集まる場所に移動させることができる。展示装置２は、荷台１のスペースに略等しい床面積を有する固定部としての固定ボックス３と、この固定ボックス３に対して可動する可動部としての可動ボックス４とからなる。さらに、固定ボックス３は車幅方向に内壁面としての背面壁５によって区画され、荷台１の側部から観て奥行きの深い第１の収納部６と奥行きの浅い第２の収納部７が背合わせ状態に設けられている。
【００２５】
固定ボックス３には荷台１に対してボルト等によって固定された底壁部８が設けられ、この底壁部８の一側（荷台１の前部側）には前端壁部９が垂直に立設され、他側（荷台１の後部側）には後端壁部１０が垂直に立設されている。前端壁部９及び後端壁部１０は前記背面壁５の両端部と連結されている。
【００２６】
そして、前記背面壁５、底壁部８、前端壁部９及び後端壁部１０は、断熱材を２枚のパネルでサンドイッチした断熱パネルによって構成されている。
【００２７】
まず、前記第１の収納部６について説明すると、底壁部８は、背面壁５と前端壁部９と後端壁部１０によって三方が囲まれており、平面視でコ字状をなしており、荷台１の側部には側面開口部６ａが設けられている。また、背面壁５と前端壁部９と後端壁部１０の高さは略同一であり、後端壁部１０の側面開口部６ａ側は上部に向かって車幅方向の幅が狭くなるようにカットされ、カット斜面部１０ａを有している。
【００２８】
背面壁５の上端部には上部開口の排水樋１１が荷台１の前後方向に亘って設けられ、この排水樋１１の前後方向の両端は外部に排水できるように前端壁部９と後端壁部１０にそれぞれ開口している。排水樋１１は上向きに開放した断面コ字型の金属板からなる型材により形成されると共に同排水樋１１の上部は後述する第２の収納部７の上部壁部７ｂに結合され、この上部壁部７ｂには荷台１の前後方向に複数個のヒンジ１２が配置されている。ヒンジ１２は、図７に示すように、ヒンジ軸１２ａを中心として回動する一対の取付け片１３，１４を有している。そして、一方の取付け片１３は上部壁部７ｂに固定され、他方の取付け片１４は、可動ボックス４の上壁部１５に固定されている。従って、固定ボックス３に対して可動ボックス４が背面壁５の上方にてヒンジ軸１２ａを支点として上下方向に回動できるようになっている。
【００２９】
次に、可動ボックス４について説明すると、図１〜図３に示すように、可動ボックス４は第１の収納部６の上面を覆う上壁部１５と、この上壁部１５と一体に設けられ、第１の収納部６の側面開口部６ａを覆う側壁部１６と、第１の収納部６の前端と後端を覆う前端壁部１７、後端壁部１８とから構成されている。なお、前端壁部１７、後端壁部１８はそれぞれ上壁部１５と側壁部１６の各前端縁部、後端縁部に連結されている。
【００３０】
上壁部１５は第１の収納部６の上部開口のサイズに等しく、側壁部１６は第１の収納部６の側面開口部６ａのサイズに等しく形成されている。さらに、前端壁部１７、後端壁部１８は固定ボックス３の前端壁部９、後端壁部１０の一部と重なるサイズに形成されている。
【００３１】
上壁部１５及び側壁部１６は断熱材を２枚のパネルでサンドイッチした断熱パネル構造であり、前端壁部１７、後端壁部１８は薄肉のアルミニウム等の１枚パネルである。そして、後端壁部１８の側面開口部６ａ側は上壁部１５の枢支側と側壁部１６の下端側とを対角線方向に結んでカットした略三角形状であり、カット斜面部１８ａを有している。
【００３２】
また、第２の収納部７の上部壁部７ｂには第１の収納部６方向に突出する突出部１９が設けられている。この突出部１９は排水樋１１に沿って荷台１の前後方向の全長に亘って設けられ、この突出部１９の下面にはシール部材としてパッキン２０が貼着されている。一方、前記可動ボックス４の上壁部１５のヒンジ１２側の端部には突出部１９と係合するＬ字状の段差部２１が荷台１の前後方向の全長に亘って設けられている。
【００３３】
そして、固定ボックス３に対して可動ボックス４が閉塞位置においては段差部２１がパッキン２０を介して突出部１９と係合し、水密に保たれるようになっている。可動ボックス４は閉塞位置から開放位置に回動する際、段差部２１が排水樋１１の上部で回動軌跡を描くため、段差部２１と排水樋１１とが干渉しないように排水樋１１の一側壁は低く形成されている。従って、図６に示すように、背面壁５の上端と段差部２１との間には隙間２１ａが形成されている。
【００３４】
固定ボックス３の背面壁５の内面、前端壁部９及び後端壁部１０の内面には、図示のように、タイル４１が貼着されている。特に図４に明らかのように、可動ボックス４の上壁部１５におけるそのヒンジ軸１２ａに近い部分４４は、他の部分よりも若干凹んでいる。そして、部分４４は、図４に示すように、可動ボックス４が開放位置にあるときに、後付けパネル４４ａ及び４４ｂにより埋められる。
【００３５】
後付けパネル４４ａ，４４ｂはそれぞれ下縁が固定ボックス３の背面壁５の上縁に当接した状態で、部分４４に磁石などの適宜固定手段で保持されている。さらに、後付けパネル４４ａ，４４ｂ上にもタイル４１が貼着されており、特に図２に示されるように、後付けパネル４４ａ，４４ｂが部分４４に保持された状態では、固定ボックス３の背面壁５と可動ボックス４の上壁部１５とが一つの壁面のように見えるものである。なお、後付けパネル４４ａ，４４ｂを予め可動ボックス４の上壁部１５に一体に設けておくことも可能であるが、その場合には、可動ボックス４を回動するときには固定ボックス３側との干渉を避けるために、各部の寸法を正確に製作する必要がある。
【００３６】
また、固定ボックス３の前端壁部９と可動ボックス４の上壁部１５との間及び固定ボックス３の後端壁部１０と可動ボックス４の上壁部１５との間にはガスダンパー２２が設けられ、固定ボックス３に対して可動ボックス４がガスダンパー２２によって跳ね上げ開放できるようになっている。
【００３７】
固定ボックス３に対して可動ボックス４が閉塞位置においては、図６に示すように、第１の収納部６の上部開口が上壁部１５によって閉塞され、側面開口部６ａが側壁部１６によって閉塞される。さらに、固定ボックス３の前端壁部９及び後端壁部１０の外側に可動ボックス４の前端壁部１７及び後端壁部１８がオーバラップした状態で前端開口及び後端開口が閉塞され、雨水の侵入を防止している。
【００３８】
また、固定ボックス３に対してヒンジ軸１２ａを支点として可動ボックス４を開放位置にしたとき、可動ボックス４の上壁部１５が垂直状態となり、その内壁面は固定ボックス３の背面壁５の内壁面と同一平面上となり、一つの壁面のように一体感が得られる。また、上壁部１５と一体の側壁部１６が水平状態となり、側壁部１６が第１の収納部６の天井部を構成する。従って、固定ボックス３の第１の収納部６の側面開口部６ａが全面開口して展示室Ａが構成されるようになっている。
【００３９】
さらに、図１に示すように、固定ボックス３と可動ボックス４の後端壁部１０，１８にはカット斜面部１０ａ，１８ａが形成されているため、可動ボックス４の開放位置においては側面開口部６ａ側に略三角形状の開口が形成され、荷台１の後方からも展示室Ａを観ることができる。
【００４０】
このように固定ボックス３に対して可動ボックス４を回動した開放位置においては、上壁部１５の段差部２１が突出部１９から離れるため、両者間に隙間２１ｂが形成される。従って、展示中に降雨があった場合、雨水が隙間２１ｂから侵入するが、隙間２１ｂの下方には排水樋１１が位置しているため、雨水は排水樋１１で受け、その両端から外部に排水されるようになっている。
【００４１】
また、図８（ａ）（ｂ）に示すように、固定ボックス３の前端壁部９の上端面にはその長手方向に離間して複数の下部レール２３が設けられている。また、可動ボックス４の側壁部１６の内面には可動ボックス４を開放したとき下部レール２３と上下関係で対向する上部レール２４が設けられている。そして、下部レール２３と上部レール２４との間に後付けパネル２５が着脱可能に装着できるようになっている。
【００４２】
後付けパネル２５は矩形状で、その下端部には下部レール２３と対応する切欠部２６と下部レール２３の相互間の間隔部２３ａに対応する突起部２７を有し、この突起部２７の下端部には下部レール２３と係合する下部溝２８が設けられている。また、後付けパネル２５の上端部には上部レール２４と係合する上部溝２９が設けられている。
【００４３】
そして、固定ボックス３に対して可動ボックス４を開放位置において、前端壁部１７の内側から斜めにして後付けパネル２５の上部溝２９を上部レール２４に係合した後、突起部２７を下部レール２３の間隔部２３ａに位置決めする。この状態で、後付けパネル２５の下端部を前端壁部１７方向に移動して下部溝２８を下部レール２３に位置決めし、後付けパネル２５を下部レール２３に沿ってスライドすると、下部溝２８が下部レール２３に係合して後付けパネル２５が垂直状態に取り付けられる。
【００４４】
なお、後付けパネル４４ｂとの関係について述べると、後付けパネル４４ｂを部分４４に支持された後に、後付けパネル２５を所定位置に取り付けるように構成されている。
【００４５】
従って、後付けパネル２５はその幅全長に亘ってスライドさせる必要はなく、突起部２７に設けた下部溝２８の長さに相当する僅かなスライド量で取り付けることができる。また、この後付けパネル２５を取付けることにより、可動ボックス４の上壁部１５及び側壁部１６を固定ボックス３の前端壁部９に支持することができ、可動ボックス４が開放位置から不用意に閉塞方向に回動するのを阻止することができる。
【００４６】
次に、第２の収納部７について説明すると、図３及び図６に示すように、第２の収納部７は、その底壁部８が、背面壁５と前端壁部９と後端壁部１０及び上部壁部７ｂによって四方が囲まれており、荷台１の側方に開口する側面開口部７ａが設けられている。さらに、上部壁部７ｂ及び底壁部８には側面開口部７ａを開閉する上部扉３１及び下部扉３２が上下方向に回動自在に設けられている。
【００４７】
前述のように構成された展示装置２の展示室Ａにユニットバスを展示する場合について説明すると、図２及び図３に示すように、第１の収納部６の一部には浴槽４０が設置され、背面壁５、前端壁部９及び後端壁部１０の内面には矩形状のタイル４１が貼着されている。さらに、背面壁５にはシャワーノズル付きの蛇口４２が設けられ、浴室を構成している。
【００４８】
可動ボックス４の上壁部１５にはシャワーノズルを支持可能な金具４２ａ及び照明器具４５が取り付けられ、固定ボックス３の背面壁５にはやはりシャワーノズルを支持可能な金具４２ｂが取り付けられている。
【００４９】
また、上部壁１５の内面及び後付けパネル２５の内面にも前記タイル４１が貼着されているとともに、リフォーム前仕上げ材４３が露出して設けられており、浴室の内装のリフォーム前とリフォーム後の状態が判るようになっている。さらに、後付けタイル４４ａ，４４ｂを部分４４に取付けることにより、背面壁５の上端と上壁部１５の段差部２１との間の隙間２１ａは後付けタイル４４によって閉塞され、背面壁５と上壁部１５とが一つの壁面のように一体感が得られる。
【００５０】
このように構成された展示装置２によれば、固定ボックス３に対して可動ボックス４を開放することにより、上壁部１５が内壁を構成し、側壁部１６が天井部を構成し、しかも天井部の高さは実寸と略同一であるため、実物のユニットバスの全体の内部構成を観察することができる。
【００５１】
また、展示室Ａの正面（荷台１の側部）から観ると、ユニットバスの全体の内部を観察できることは勿論であるが、後端壁部１０及び１８のカット斜面部１０ａ，１８ａによって広角三角形状に開口しているため、荷台１の斜め後方からも観ることもでき、大勢の人が同時に観ることができ、宣伝効果は大である。
【００５２】
また、第２の収納部７は、リフォーム前仕上げ材や展示に必要な備品を収納する収納庫として利用することができるが、上部扉３１及び下部扉３２を開放してユニットバスに関連した小物商品を展示販売することもできる。
【００５３】
商品の展示により宣伝・販売を終了する場合あるいは他の場所に移動する場合には、固定ボックス３に対して可動ボックス４を閉塞位置とする。このとき、まず後付けパネル２５，４４ａ，４４ｂを前述した取付け手順と逆の手順によって取り外す。次に、可動ボックス４を閉塞位置とするが、この場合、可動ボックス４の側壁部１６は高所にあるため、側壁部１６にフックを設け、先端に引掛け部を有する棒を持って引掛け部をフックに引掛けで引き下げるようにしても良く、予め側壁部１６に紐を設け、紐を引き下げるようにしても良い。
【００５４】
また、可動ボックス４を閉塞した後、側壁部１６と固定ボックス３の底壁部８とをロック機構によってロックすることにより、閉塞状態に保持することができる。可動ボックス４を閉塞状態にすると、上壁部１５が固定ボックス３の高さと略等しくなり、車両の走行安定性を保つことができる。
【００５５】
なお、前記実施形態において、可動ボックス４が開放位置にあるときに、その上壁部１５と固定ボックス３の背面壁５とが面一になるように構成されているが、両者間に多少の段差があっても材質、図柄、意匠上の工夫によって両者により一つの壁面を形成するように構成することが可能である。
【００５６】
図９は第２の実施形態を示し、第１の実施形態と同一構成部分は同一番号を付して説明を省略する。本実施形態は、展示室Ａにトイレユニットを構成したものであり、第１の収納部６の底壁部８には便器５１が設置され、背面壁５には手洗い器５２等が設けられている。また、可動ボックス４の上壁部１５の内面には化粧鏡５３が設けられている。
【００５７】
さらに、第１の収納部６の側面開口部６ａにはタラップ５４が設けられている。このタラップ５４はその上端部が底壁部８にヒンジ５５によって回動自在に枢支連結されており、このタラップ５４には手摺り５６が着脱可能に設けられている。従って、タラップ５４はヒンジ５５を支点として第１の収納部６から外側へ回動することにより、タラップ５４の下端部が地上５７に設置され、略４０°の傾斜に支持される。そして、このタラップ５４に手摺り５６を取付けることにより、地上５７から展示室Ａに昇り降りが楽に行える。
【００５８】
また、タラップ５４の不使用時にはタラップ５４から手摺り５６を取り外し、タラップ５４をヒンジ５５を支点として内側に回動することにより、タラップ５４を第１の収納部６の側面開口部６ａに垂直状態に立て掛け収納することができる。
【００５９】
なお、前記各実施形態においては、固定ボックス３を車幅方向に背面壁５によって区画して第１の収納部６と第２の収納部７とを背合わせ状態に設けたが、固定ボックス３を一つの収納部として荷台１の側部あるいは荷台１の後部から観察できるようにしてもよい。
【００６０】
さらに、前記各実施形態においては、車両の荷台１に展示装置２を搭載し、車両によって展示装置２を目的地に移動し、目的地で展示室Ａを開放して商品の展示販売・宣伝を行う場合について説明したが、車両を改造して展示装置２を車体と一体に構成した展示車両としてもよく、トレーラー等に搭載し、牽引車両で牽引するようにしてもよい。特に、トレーラーに搭載し、牽引車両で牽引する場合には、目的地で牽引車両とトレーラーとを切り離すことにより、牽引車両をお客の送迎など別の目的に使用することができる。
【００６１】
【発明の効果】
以上説明したように、請求項１によれば、展示室を広く開放することができ、展示室に展示した商品を大勢の人が一同に観察でき、商品の展示販売・宣伝効果を高めることができる。さらに、展示装置を大型に構成することなく、固定部に対して可動部を上方に回動した開放位置においては展示室の天井部の高さを高くでき、例えば、一般住宅設備としてのユニットバスやキッチンユニット、洗面台付きトイレユニット等の商品を展示販売する場合に、商品の実物と同一サイズに構成でき、商品の展示・宣伝効果を高めることができる。さらに、開放位置において固定部の壁面と可動部の壁面との一体感が得られ、美観を向上できる。
【００６３】
請求項２によれば、開放位置において可動部が後付けパネルによって保持され、後付けパネルがストッパとして機能し、可動部を確実に保持することができる。請求項３，４によれば、後付けパネルが固定部に対して着脱可能であり、取付け時には固定部と可動部に確実に固定できる。しかも後付けパネルによって内壁の一部を構成することができる。
【００６４】
請求項５によれば、可動部の開放位置において降雨があっても排水樋によって排水され、風雨が展示室に侵入するのを防止する。請求項６によれば、可動部は端壁部を有し、この端壁部によって排水樋の開口を覆うことができる美観を向上できる。。
【図面の簡単な説明】
【図１】この発明の第１の実施形態の展示装置を車両の荷台に搭載した状態の斜視図。
【図２】同実施形態を示し、可動ボックスを開放した状態の展示装置の側面図。
【図３】同実施形態を示し、可動ボックスを開放した状態の展示装置の縦断側面図。
【図４】同実施形態を示し、可動ボックスを開放した状態の展示装置の斜視図。
【図５】同実施形態を示し、可動ボックスを開放した状態の横断平面図。
【図６】同実施形態を示し、可動ボックスを閉塞した状態の縦断側面図。
【図７】同実施形態を示し、図６のＸ部を拡大して示す断面図。
【図８】同実施形態の後付けパネルを示し、（ａ）は後付けパネルを取付ける直前の状態の正面図、（ｂ）は同じく斜視図。
【図９】この発明の第２の実施形態を示し、可動ボックスを開放した状態の縦断側面図。
【符号の説明】
２…展示装置
３…固定ボックス（固定部）
４…可動ボックス（可動部）
５…背面壁（内壁面）
８…底壁部
９…前端壁部
１０…後端壁部
１５…上壁部
１６…側壁部
Ａ…展示室
【図１】
0004022080.tif 000002
【図２】
0004022080.tif 000003
【図３】
0004022080.tif 000004
【図４】
0004022080.tif 000005
【図５】
0004022080.tif 000006
【図６】
0004022080.tif 000007
【図７】
0004022080.tif 000008
【図８】
0004022080.tif 000009
【図９】
0004022080.tif 000010